(57)【要約】  少なくとも１つの通行領域（６）を有する建物の空間（２）、殊に実験室において供給ラインを案内するための媒体天井（１）であって、異形支持体（１０）から成る自体剛性的な支持フレーム（８）が設けられており、該支持フレーム（８）が、空間の天井（１２）の領域に固定されており、新気を供給するための少なくとも１つの給気通路（２２ａ，２２ｂ）と、衛生媒体を供給するためのライン（２６）とが設けられている形式のものにおいて、支持フレーム（８）が、建物の天井（１２）に対して間隔をおいて第１の平面（１４）に延在しており、給気通路（２２ａ，２２ｂ）が、通行領域（６）の上側で実質的に支持フレーム（８）の下面と同一平面を成して支持フレームの平面に延在しており、衛生媒体を供給するためのライン（２６）が、給気通路（２２ａ，２２ｂ）の上側で第２の平面（２４）に延在している。
2009509070.tif 000002
【特許請求の範囲】
【請求項１】
少なくとも１つの通行領域（６）を有する建物の空間（２）、殊に実験室において供給ラインを案内するための媒体天井（１）であって、異形支持体（１０）から成る自体剛性的な支持フレーム（８）が設けられており、該支持フレーム（８）が、空間の天井（１２）の領域に固定されており、新気を供給するための少なくとも１つの給気通路（２２ａ，２２ｂ）と、衛生媒体を供給するためのライン（２６）とが設けられている形式のものにおいて、
支持フレーム（８）が、建物の天井（１２）に対して間隔をおいて第１の平面（１４）に延在しており、給気通路（２２ａ，２２ｂ）が、通行領域（６）の上側で実質的に支持フレーム（８）の下面と同一平面を成して支持フレームの平面に延在しており、衛生媒体を供給するためのライン（２６）が、給気通路（２２ａ，２２ｂ）の上側で第２の平面（２４）に延在していることを特徴とする、媒体天井。
【請求項２】
当該媒体天井が、別の給気通路（２２ｂ）を有しており、該別の給気通路（２２ｂ）が、殊に第２の通行領域（６）の上側において、支持フレーム（８）の平面の内側に延在しており、衛生媒体を供給するためのライン（２６）が、第２の平面（２４）においてＵ字の形式で互いに平行に、給気通路（２２ａ）から別の給気通路（２２ｂ）に案内され、第２の給気通路に沿って延在している、請求項１記載の媒体天井。
【請求項３】
当該媒体天井が、さらに電気的な供給ラインおよび／またはデータライン（２８）を内蔵しており、電気的な供給ラインおよび／またはデータライン（２８）が、互いに平行に且つ第１の給気通路（２２ａ）と第２の給気通路（２２ｂ）とに対して平行に、第１の平面（１４）においてＵ字の形式で案内されている、請求項２記載の媒体天井。
【請求項４】
第１の平面（１４）において、さらに電気的な照明器具（３２）が、支持フレーム（８）に対して相対的に移動可能に、支持フレーム（８）に取り付けられている、請求項１から３までのいずれか一項記載の媒体天井。
【請求項５】
照明器具（３２）の下面が、実質的に支持フレーム（８）の下面に対して同一平面を成して配置されている、請求項４記載の媒体天井。
【請求項６】
衛生媒体を供給するためのライン（２６）が、該ライン（２６）内に組み込まれた自己閉鎖式の、殊にＴ字形の貫通接続アダプタ（３４）を有しており、該貫通接続アダプタ（３４）から個々の消費器（４０）への各衛生媒体の供給が、貫通接続アダプタ（３４）に差込み可能な円弧状の介在ライン（３６）を介して行われる、請求項１から５までのいずれか一項記載の媒体天井。
【請求項７】
衛生媒体を供給するための複数のライン（２６）の貫通接続アダプタ（３４）が、空気供給通路（２２ａ，２２ｂ）の少なくとも１つの領域に、１つのブロックの形式で並置して配置されている、請求項６記載の媒体天井。
【請求項８】
１つのブロックの貫通接続アダプタ（３４）が、空間の天井（１２）の方向で延在しており、これにより介在ライン（３６）が、天井に向かって衛生媒体用の供給ライン（２６）から離れる方向で案内されている、請求項７記載の媒体天井。
【請求項９】
支持フレームの異形支持体（１０）の下面に、空間の床に向かって延在している媒体コラム（４０）が取り付けられており、該媒体コラム（４０）が、異形支持体の種々異なる位置において、殊に長手方向溝（２０）と該長手方向溝（２０）内に係合している溝ブロックとを介して移動可能に取り付けられている、請求項８記載の媒体天井。
【請求項１０】
支持フレーム（８）が、柱体状のスペーサ（１６）により空間の天井に固定されている、請求項１から９までのいずれか一項記載の媒体天井。
【請求項１１】
柱体状のスペーサ（１６）が、調節可能な取付け板（１８）により天井（１２）に保持される、請求項１０記載の媒体天井。
【請求項１２】
当該媒体天井が、少なくとも１つの排気通路（４２）を有しており、該排気通路（４２）が、第２の平面（２４）に沿って給気通路（２２ａ，２２ｂ）に対して実質的に平行に延在している、請求項１から１１までのいずれか一項記載の媒体天井。
【請求項１３】
給気通路（２２ａ，２２ｂ）と供給ラインとを備えた複数の支持フレーム（８）が、第１の平面（１４）において並置して配置されており、隣り合う２つの支持フレームの互いに接している異形支持体が、それぞれ該異形支持体（１０）のほぼ２倍の幅に相当する高さを有している、請求項１から１２までのいずれか一項記載の媒体天井。
【請求項１４】
給気通路（２２ａ，２２ｂ）および／または電気的な供給ライン（２８）および／またはデータラインが、異形支持体（１０）の切欠き（４４）を通って案内されている、請求項１から１３までのいずれか一項記載の媒体天井。
【請求項１５】
殊に請求項１から１４までのいずれか一項記載の媒体天井を組み付けるための方法において、
以下の方法ステップ、つまり、
個々の異形支持体から成る支持フレームを、空間の床の領域において組み付け、新気を供給するための少なくとも１つの給気通路を支持フレームに配置し、衛生媒体を供給するための、互いに平行に且つ給気通路に対して平行に延在している複数のラインを、給気通路の上側の一平面に配置し、給気通路と衛生媒体を供給するためのラインとを備えた支持フレームを、ユニットとして持ち上げ、支持フレームを、空間の天井から予め規定された間隔をおいて固定する、
という方法ステップを特徴とする、媒体天井を組み付けるための方法。
【請求項１６】
支持フレームに、天井に向かって延在している柱体状のスペーサを配置し、該スペーサを、天井の持ち上げ後に、殊にねじにより互いに結合可能な２つの取付け板の形をした調整可能な結合エレメントを介して天井に固定する、請求項１５記載の方法。
【発明の詳細な説明】
【技術分野】
【０００１】
本発明は、請求項１および請求項１５の上位概念部記載の、特に実験室用の媒体天井並びに当該媒体天井を組み付けるための方法に関する。
【０００２】
建築技術においては研究実験室の装置および、たとえば化学的または物理的な研究のために、公知の天井構造が使用される。この天井構造において、排気、給気、実験室で必要とされる工業用ガス、液体、電流・データライン等の供給部が、天井の内側でだぼによる適切な固定装置によって備え付けの建物天井に固定される。この場合、ラインの敷設は、一般的に幾人もの人員によって連続して行われるので、ラインの延在が時折、複数の平面において縦横および交互になるだけでなく、さらに固定装置の個別の組付けにより、現存する実験室の空間的な配置変更は、後から極めて手間をかけてしか行えないという困難が生じる。
【０００３】
これに応じて本発明の課題は、媒体天井を改良して、種々異なる供給ラインの構造化され整えられた延在を可能にし、さらにフレキシブルな形式で、変更された実験室構造に後から適合可能である形式のものを提供することである。
【０００４】
本発明の別の課題は、当該媒体天井を簡単に且つ廉価な形式で組み付けることができる方法を提供することにある。
【０００５】
本発明によれば、これらの課題は請求項１および請求項１５の特徴部により解決される。
【０００６】
本発明の別の利点は、請求項２〜１４および請求項１６に記載されている。
【０００７】
本発明によれば、当該媒体天井は水平の空間分割部として働き、給気、排気、電流、光、ガス、通信等のための、組み込まれた全建物用コンポーネントを有している。媒体天井は、実験室の新築建物と改築建物とに適していて、且つ製造設備と研究設備と、特に化学・製薬産業用の養成用施設とに適している。
【０００８】
媒体天井は、有利には金属製の曲げ剛性的な異形機構から成っている。この異形機構は、横断面または高さにおいて、給気・排気通路、電流レール、電気通路、媒体供給部および光が、交差することなく媒体天井の内側に配置することができるように設計されている。媒体天井の支持フレームまたは基本格子パターンは、異形支持体、特に一次支持体、二次支持体および天井柱体から成っている。一次支持体の場合、中央支持体と縁支持体とは区別される。中央支持体は縁支持体の２倍の幅を有している。中央支持体は、有利には中央で実験室の中央机の上方に位置している。
【０００９】
天井柱体は、建物天井と媒体天井との間の結合エレメントとして働く。
【００１０】
１つの空間には、モジュールの形式の複数の媒体天井を組み付けることができる。この場合、１つの空間の個々の媒体天井は、接合される縁支持体により互いに結合される。この２つの縁支持体は、共に１つの一次支持体または中央支持体を同様にもたらす。媒体天井は、任意の高さに組み付けることができる。
【００１１】
給気通路は、中央通路の方向で机設置場所および／または排出作業場所の間の中央に位置する。
【００１２】
排気通路は縁支持体の隣に平行に位置する。
【００１３】
種々異なる媒体のライン案内は、媒体天井においては特にＵ字形に配置され、給気通路の上方で中央に位置する。
【００１４】
１つの実験室の四分割部分ごとに給気通路の上側で中央に位置している供給部点から、媒体コラムを接続することができる。供給部点はモジュール状に構成されていて、各媒体需要に適合することができる。媒体接続点のコンポーネントは、有利には貫通接続アダプタとインライン式に構成される。
【００１５】
媒体コラムは支持体系に組み付けることができ、移動可能である。
【００１６】
供給部点が、１つの実験室の各四分割部分に位置していることにより、空間は隔離壁によって幾つにも分割することができる。給気流は、各実験室分割部分において、所属の容積流調整器を介して個別に案内することができる。
【００１７】
電流レールと電気通路とは、有利には媒体に対して平行に延在している。
【００１８】
中央支持体、縁支持体、二次支持体の下側に隔離壁を組み付けることができる。
【００１９】
照明器具／ランプは移動可能であり、従って種々異なる要求に対して中央机と排気部との上方で適応することができる。ランプは二次支持体に懸架される。ランプタイプは媒体天井の高い横断面のおかげで自由に選択可能である。ランプは一次支持体に対して縦横に移動することができる。
【００２０】
給気通路は、流出開口を閉鎖可能に配置できるように設計されている。全媒体天井は、種々異なる色と材料とにおいて下方で天井板によって閉鎖することができる。この関係において、単数の給気通路または複数の給気通路の流出開口の下側に、流出開口に比べて小さな直径を備えた複数の孔を有する衝突薄板を設けることも可能である。これによって層状で面状の給気流が形成される。
【００２１】
主要支持体と、二次支持体と、軸支持体と縁支持体との結合は、有利には曲げ剛性的に行われ、有利にはアースされている。
【００２２】
さらに、備え付けの固定手段をいずれ外したい場合には、天井柱体に主要支持体が落下しないように位置固定する、機械的な位置固定部を組み込むことができる。
【００２３】
たとえば公知のＴ字形溝ブロックとねじ山付き板といった全付属品が、全ての二次支持体と主要支持体とにおいて使用可能である。
【００２４】
媒体天井は高いフレキシビリティを有していて、サービス提供をしやすく、組付け時間を短縮しコストを下げる。なぜならば全接続部と通路と供給ラインとのプランニングを、先だって統一的に行うことができるからである。
【００２５】
支持体の表面性質は実験室の周辺に適している。このことはこの場合、長さを短くする際に、支持体の外側コーティング層の解離または剥離を防ぐために、異形材の始端部もしくは終端部のためにも設けられていると有利である。
【００２６】
本発明に係る、特に実験室用の媒体天井は、少なくとも１つの通行領域を有する建物の１つの空間、殊に１つの実験室において供給ラインを案内するための媒体天井であって、異形支持体から成る自体剛性的な支持フレームが設けられており、該支持フレームが、空間の天井の領域に固定されており、新気を供給するための少なくとも１つの給気通路と、衛生媒体を供給するためのラインとが設けられている形式のものにおいて、支持フレームが、建物の天井に対して間隔をおいて第１の平面に延在しており、給気通路が、通行領域の上側で実質的に支持フレームの下面と同一平面を成して支持フレームの平面に延在しており、衛生媒体を供給するためのラインが、給気通路の上側で第２の平面に延在していることを特徴とする。
【００２７】
本発明に係る媒体天井は、有利には、当該媒体天井が、別の給気通路を有しており、該別の給気通路が、殊に第２の通行領域の上側において、支持フレームの平面の内側に延在しており、衛生媒体を供給するためのラインが、第２の平面においてＵ字の形式で互いに平行に、給気通路から別の給気通路に案内され、第２の給気通路に沿って延在している。
【００２８】
本発明に係る媒体天井は、有利には、当該媒体天井が、さらに電気的な供給ラインおよび／またはデータラインを内蔵しており、電気的な供給ラインおよび／またはデータラインが、互いに平行に且つ第１の給気通路と第２の給気通路とに対して平行に、第１の平面においてＵ字の形式で案内されている。
【００２９】
本発明に係る媒体天井は、有利には、第１の平面において、さらに電気的な照明器具が、支持フレームに対して相対的に移動可能に、支持フレームに取り付けられている。
【００３０】
本発明に係る媒体天井は、有利には、照明器具の下面が、実質的に支持フレームの下面に対して同一平面を成して配置されている。
【００３１】
本発明に係る媒体天井は、有利には、衛生媒体を供給するためのラインが、該ライン内に組み込まれた自己閉鎖式の、殊にＴ字形の貫通接続アダプタを有しており、該貫通接続アダプタから個々の消費器への各衛生媒体の供給が、貫通接続アダプタに差込み可能な円弧状の介在ラインを介して行われる。
【００３２】
本発明に係る媒体天井は、有利には、衛生媒体を供給するための複数のラインの貫通接続アダプタが、空気供給通路の少なくとも１つの領域に、１つのブロックの形式で並置して配置されている。
【００３３】
本発明に係る媒体天井は、有利には、１つのブロックの貫通接続アダプタが、空間の天井の方向で延在しており、これにより介在ラインが、天井に向かって衛生媒体用の供給ラインから離れる方向で案内されている、支持フレームの異形支持体の下面に、空間の床に向かって延在している媒体コラムが収容されており、該媒体コラムが、異形支持体の種々異なる位置において、殊に長手方向溝と該長手方向溝内に係合している溝ブロックとを介して移動可能に取り付けられている。
【００３４】
本発明に係る媒体天井は、有利には、支持フレームが、柱体状のスペーサにより空間の天井に固定されている。
【００３５】
本発明に係る媒体天井は、有利には、柱体状のスペーサが、調節可能な取付け板により天井に保持される。
【００３６】
本発明に係る媒体天井は、有利には、当該媒体天井が、少なくとも１つの排気通路を有しており、該排気通路が、第２の平面に沿って給気通路に対して実質的に平行に延在している。
【００３７】
本発明に係る媒体天井は、有利には、給気通路と供給ラインとを備えた複数の支持フレームが、第１の平面において並置して配置されており、隣り合う２つの支持フレームの互いに接している異形支持体が、それぞれ該異形支持体のほぼ２倍の幅に相当する高さを有している。
【００３８】
本発明に係る媒体天井は、有利には、給気通路および／または電気的な供給ラインおよび／またはデータラインが、異形支持体の切欠きを通って案内されている。
【００３９】
本発明に係る媒体天井を組み付けるための方法は、殊に請求項１から１４までのいずれか一項記載の媒体天井を組み付けるための方法において、以下の方法ステップ、つまり、個々の異形支持体から成る支持フレームを、空間の床の領域において組み付け、新気を供給するための少なくとも１つの給気通路を支持フレームに配置し、衛生媒体を供給するための、互いに平行に且つ給気通路に対して平行に延在している複数のラインを、給気通路の上側の一平面に配置し、給気通路と衛生媒体を供給するためのラインとを備えた支持フレームを、ユニットとして持ち上げ、支持フレームを、空間の天井から予め規定された間隔をおいて固定する、という方法ステップを特徴とする。
【００４０】
本発明に係る方法は、有利には、支持フレームに、天井に向かって延在している柱体状のスペーサを配置し、該スペーサを、天井の持ち上げ後に、殊にねじにより互いに結合可能な２つの取付け板の形をした調整可能な結合エレメントを介して天井に固定する。
【００４１】
以下に、本発明による媒体天井と当該媒体天井を組み付けるための本発明による方法とを、有利な実施例に基づく図面につき説明する。
【００４２】
図１および図２に示したように、建物の空間２内において供給ラインを案内するための本発明による媒体天井１が、空間２の天井１２の領域に配置されている異形支持体１０から成る自体剛性的な支持フレーム８を有している。空間２は、図面では図示の実験室机４と通路６とを有する実験室空間として示されている。図２から見て取ることができるように、破線により示された第１の平面１４に支持フレーム８が収容されている。この支持フレーム８は、天井１２に天井から下方に延在している柱状のスペーサ１６により支持される。これらのスペーサ１６は、たとえば天井にねじを介して調整可能な２枚の取付け板１８によって固定されている。スペーサは、有利には同様に異形支持体として形成されている。これらの異形支持体には、支持フレームのその他の異形支持体と同じような形式で溝２０が備え付けられている。これらの溝２０を介して支持体は、公知の形式で溝ブロック（図示せず）によって結合することができる。
【００４３】
図１および図２からさらに見て取ることができるように、第１の平面１４には新気を供給するための少なくとも１つの給気通路２２ａが配置されている。この給気通路２２ａは、通行領域６の上側でこの通行領域６に沿って延在していて、図２に示してあるように、給気通路２２ａの下面は、実質的に支持フレーム８の異形支持体１０の下面と同一平面を成して延在している。この場合、給気通路２２ａは、有利には方形の横断面形状を有していて、支持フレーム８の異形支持体１０の高さと、有利には同じかまたは異形支持体の高さ１０より僅かに小さな高さを有している。その結果、既に示したように、給気通路２２ａは、有利には完全に支持フレームの平面内において延在している。
【００４４】
図１および図２によれば、本発明により給気通路２２ａの上側にある第２の平面２４には、水、空気、真空、種々異なる工業用ガスおよびその他の液体等といった衛生媒体を要求するためのライン２６が配置されている。衛生媒体は一般的には実験室においては必要とされる。記述を簡潔にするために、衛生媒体を供給するためのライン２６にしか触れないが、ライン２６は同じような形式で媒体を排出するためのラインも有している。
【００４５】
さらに図１および図３に基づき認識できるように、本発明の有利な実施例では、第１の給気通路２２ａに対して付加的に、少なくとも１つの別の給気通路２２ｂが支持フレーム８の内側に収容されている。別の給気通路２２ｂは、特に支持フレーム８の平面１４の内側の第２の通行領域６ｂの上側に延在している。
【００４６】
さらに図１から見て取ることができるように、第２の平面２４において衛生媒体を供給するための複数のライン２６は、有利には互いに平行で第１の給気通路２２ａから別の給気通路２２ｂにＵ字形に案内されている。この場合、「Ｕ」の第１の脚部は、第１の給気通路２２ａに沿って延在していて、第２の脚部は、別の給気通路２２ｂに沿って延在している。この場合、ライン案内は、図４にも詳しく示されているように、有利には平行に並置している。
【００４７】
さらに本発明による媒体天井１には電気的な供給ラインおよび／またはデータライン２８が、有利には互いに平行に、および第１の給気通路２２ａと第２の給気通路２２ｂとに対して平行に、Ｕ字形式で第１の平面１４の高さ内に案内されている。この場合、有利には、電気的なライン２８を案内するために、図１、図２および図３に示されたケーブル通路または電気通路３０を使用する。さらに、所望の場合には、適切に案内されたさらに一本の電流レール３８が設けられていてもよい。
【００４８】
衛生媒体の供給のためのライン２６、およびこれに対して平行に、前記ライン２６の下側に位置する第１の平面１４に案内されている電気的な供給ラインは、有利には１つの給気通路２２ａ，２２ｂの領域において終わっていて、このために適切な閉鎖部（図示せず）により閉鎖されていてよい。
【００４９】
さらに図１および図２から見て取ることができるように、第１の平面１４にはさらに電気的な照明器具３２が、有利には支持フレーム８の異形支持体１０の下面に対して同様に同一平面を成して設けられている。照明器具３２は、異形支持体１０の溝２０に係合する、溝ブロック等の適切な固定手段によって、支持フレームに対して相対的に移動可能に支持フレームに取り付けられている。
【００５０】
有利には、衛生媒体を供給するためのライン２６は、この組み込まれた自己閉鎖式のＴ字形の貫通接続アダプタ３４を有している。貫通接続アダプタ３４から、各衛生媒体の個々の消費器への供給は、図２および図４に例示的に示してあるように、貫通接続アダプタ３４に差込み可能な円弧状の介在ライン３６を介して行われる。
【００５１】
有利には、この場合、衛生媒体を供給するための複数のライン２６の貫通接続アダプタ３４は、図１に示されているように、空気供給通路２２ａおよび空気供給通路２２ｂの２つの領域においてブロックの形式で並置して配置さていて、こうして、たとえば１つの実験室の４つの四分割部分における支持フレームごとに、適切な中央の供給点が提供される。これらの供給点から衛生媒体が、介在ライン３６を介して個々の消費器に案内される。消費器は、たとえば媒体コラム４０として形成されていてよい。媒体コラム４０は異形支持体１０の種々異なる位置で、特に実験室机４の上側の領域に、長手方向溝２０に係合する溝ブロックを介して移動可能であり自由に位置決め可能に取り付けられている。
【００５２】
特に図４から見て取ることができるように、ブロックの接続アダプタ３４は、有利には空間の天井１２に向かって延在していて、介在ライン３６が、天井１２の方向で案内される。この場合、そのために必要な空間が、ライン２６と天井１２との間に排気通路４２の高さによりもたらされる。排気通路４２は、有利には第２の平面２４において、給気通路２２ａ，２２ｂの、備え付けの１つの通路６とは反対の側で延在している。これにより、ライン２６および電気的な供給ライン２８も、場合によっては、照明器具３２に対する供給部も、それぞれ「Ｕ」字の形式で一平面において平行に案内することができる。これにより極めて適度に構成されたライン案内がもたらされる。このライン案内はいつでも後から、種々異なる実験室配置へのフレキシブルな適合を可能にする。これにより、存在する実験室は後から比較的僅かな手間で配置変えできるか、または拡幅できるか、または狭幅することができる。なぜならば媒体天井１の基本構造は、基本的に変更する必要はなく、ラインと通路との本発明による配置に基づき、種々異なる平面において、ラインおよび接続アダプタ３４への常に良好な接近性が保証されている。
【００５３】
さらに図１および図３から見て取ることができるように、複数の支持フレーム８を互いに並置して１つの共通の支持フレームに結合することができる。これにより複数の給気・排気通路および供給ラインのストランドが収容される。この場合、２つの隣り合った支持フレーム８の互いに接している縁支持体は、有利にはそれぞれ幅の２倍の高さであるので、２つの平行に案内された支持体は、やはり正方形の１つの横断面を有している。この横断面は複数の媒体天井１を並べることを、本発明による天井格子パターンにおいて可能にする。
【００５４】
本発明の別の実施例によれば、支持フレームの異形支持体１０に、給気通路２２ａの高さにおいて切欠き４４を加工することができる。この切欠き４４を通って給気通路２２ａと、有利にはケーブル通路３０と電流レール３８とが案内されてもいる。
【００５５】
本発明の根底にあるさらに別の思想によれば、特に前記形式において構成されている媒体天井１を組み付けるために、まず個々の異形支持体１０から成る支持フレーム８は、空間２の床の領域において組み付けられる。この場合、支持フレームは床に直接載置することができるか、または複数の架台等において支持することができる。これに引き続き、単数の給気通路２２ａ，２２ｂまたは複数の給気通路２２ａ，２２ｂ、および特に互いに平行に且つ給気通路に対して平行に延在している、衛生媒体を供給するためのラインが、給気通路２２ａ，２２ｂの上側の一平面に配置され、有利には電気的な供給ラインも組み付けられる。
【００５６】
有利には、全コンポーネントが組み付けられて、ラインが点検されてしまってからようやく、支持フレーム８は、組み付けられたコンポーネントと共に、ユニットとして、たとえば天井１２に固定されたリフターといった適切な昇降装置によって持ち上げられ、フレーム８に既に同様に予め組み付けられた柱体状のスペーサ１６および取付け板１８によって、天井に固定される。しかし柱体状のスペーサ１６による組付けに対して択一的には、支持フレーム８を適切な数の支持柱により、下方から予め規定された間隔をおいて天井の下側に組み付ける、という可能性もある。
【図面の簡単な説明】
【００５７】
【図１】本発明による媒体天井を備えた実験室を示した、空間的な概略図である。
【図２】種々異なる平面を明らかにするための、本発明による媒体天井の概略的な横断面図であり、種々異なる平面において給気・排気通路と供給ラインとが案内されている。
【図３】１つの実験室の２つおよび複数の媒体天井における通路の有利な配置を明らかにするために、並置して配置された本発明による２つの媒体天井を上から見た概略図である。
【図４】円弧状の介在ラインを接続するためのＴ字形の貫通接続アダプタのブロック状の配置の空間的な概略図である。
【図１】
2009509070.tif 000003
【図２】
2009509070.tif 000004
【図３】
2009509070.tif 000005
【図４】
2009509070.tif 000006
【手続補正書】
【提出日】平成19年10月11日(2007.10.11)
【手続補正１】
【補正対象書類名】明細書
【補正対象項目名】０００２
【補正方法】変更
【補正の内容】
【０００２】
建築技術において、研究実験室の装置および、たとえば化学的または物理的な研究にとって公知の天井構造が使用される。この天井構造において、排気、給気、実験室で必要とされる工業用ガス、液体、電流・データライン等の供給部が、天井の内側でだぼによる適切な固定装置によって備え付けの建物天井に固定される。この場合、ラインの敷設は、一般的に幾人もの人員によって連続して行われるので、ラインの延在が時折、複数の平面において縦横および交互になるだけでなく、さらに固定装置の個別の組付けにより、現存する実験室の空間的な配置変更は、後から極めて手間をかけてしか行えないという困難が生じる。
この関係においてＵＳ−Ａ−５２０７０３５から中間天井が公知である。中間天井は、この中間天井の上側に配置された遮蔽部を備えている。この遮蔽部は、建物天井からロープによって吊されている。この場合、遮蔽部は中間天井の下側に配置された、空間の平面を耐水性に閉鎖する。遮蔽部の上側には、１つの通気通路の他にスプリンクラー設備の複数の供給ラインが配置されている。スプリンクラー設備は、それぞれ別体の結合手段を介して空間の天井に直接固定されている。別々に固定する結果、給気通路、スプリンクラー設備の供給ラインおよび上側に配置された遮蔽部を備えた中間天井は、それぞれ種々異なる結合手段を介して建物天井に固定する必要がある。これにより著しい組付け手間がかかり、構造化されたライン案内は困難になる。
台所として使用される空間のための掛吊り式の天井構造が、ＷＯ−Ａ−９１１１２７２から公知である。この構成では天井構造は、空間の長さを越えて延在しいて、モジュール状に空間の天井に配置されている、２つの給気通路と、少なくとも１つの排気通路と、衛生媒体の供給のためのラインとを有している。給気通路と排気通路との間には天井板が配置されている。この天井板は、給気通路と排気通路との上側の縁側に載置していて、別のラインに配置されていてよい。２つの給気通路と少なくとも１つの排気通路とは、それぞれ別体の結合エレメントを介して建物天井に結合されているか、もしくは建物天井から吊り下げられていて、給気通路と排気通路との間に配置された天井板は、建物天井に載置されているだけであるので、天井構造のライン案内は、技術的に著しい手間でしか空間的に変更された条件には適合可能ではない。
【手続補正書】
【提出日】平成19年11月30日(2007.11.30)
【手続補正１】
【補正対象書類名】特許請求の範囲
【補正対象項目名】全文
【補正方法】変更
【補正の内容】
【特許請求の範囲】
【請求項１】
少なくとも１つの通行領域（６）を有する建物の空間（２）、殊に実験室において供給ラインを案内するための媒体天井（１）であって、異形支持体（１０）から成る自体剛性的な支持フレーム（８）が設けられており、該支持フレーム（８）が、空間の天井（１２）の領域に固定されており、新気を供給するための少なくとも１つの給気通路（２２ａ，２２ｂ）と、衛生媒体を供給するためのライン（２６）とが設けられている形式のものにおいて、
支持フレーム（８）が、建物の天井（１２）に対して間隔をおいて第１の平面（１４）に延在しており、給気通路（２２ａ，２２ｂ）が、通行領域（６）の上側において実質的に支持フレーム（８）の下面と同一平面を成して支持フレームの平面に延在しており、衛生媒体を供給するためのライン（２６）が、給気通路（２２ａ，２２ｂ）の上側で第２の平面（２４）に延在しており、給気通路（２２ａ，２２ｂ）とライン（２６）とが、支持フレーム（８）と共に、空間の床の領域において組付け可能なユニットを形成することを特徴とする、媒体天井。
【請求項２】
当該媒体天井が、別の給気通路（２２ｂ）を有しており、該別の給気通路（２２ｂ）が、殊に第２の通行領域（６）の上側において、支持フレーム（８）の平面の内側に延在しており、衛生媒体を供給するためのライン（２６）が、第２の平面（２４）においてＵ字の形式で互いに平行に、給気通路（２２ａ）から別の給気通路（２２ｂ）に案内され、第２の給気通路に沿って延在している、請求項１記載の媒体天井。
【請求項３】
当該媒体天井が、さらに電気的な供給ラインおよび／またはデータライン（２８）を内蔵しており、電気的な供給ラインおよび／またはデータライン（２８）が、互いに平行に且つ第１の給気通路（２２ａ）と第２の給気通路（２２ｂ）とに対して平行に、第１の平面（１４）においてＵ字の形式で案内されている、請求項２記載の媒体天井。
【請求項４】
第１の平面（１４）において、さらに電気的な照明器具（３２）が、支持フレーム（８）に対して相対的に移動可能に、支持フレーム（８）に取り付けられている、請求項１から３までのいずれか一項記載の媒体天井。
【請求項５】
照明器具（３２）の下面が、実質的に支持フレーム（８）の下面に対して同一平面を成して配置されている、請求項４記載の媒体天井。
【請求項６】
衛生媒体を供給するためのライン（２６）が、該ライン（２６）内に組み込まれた自己閉鎖式の、殊にＴ字形の貫通接続アダプタ（３４）を有しており、該貫通接続アダプタ（３４）から個々の消費器（４０）への各衛生媒体の供給が、貫通接続アダプタ（３４）に差込み可能な円弧状の介在ライン（３６）を介して行われる、請求項１から５までのいずれか一項記載の媒体天井。
【請求項７】
衛生媒体を供給するための複数のライン（２６）の貫通接続アダプタ（３４）が、空気供給通路（２２ａ，２２ｂ）の少なくとも１つの領域に、１つのブロックの形式で並置して配置されている、請求項６記載の媒体天井。
【請求項８】
１つのブロックの貫通接続アダプタ（３４）が、空間の天井（１２）の方向で延在しており、これにより介在ライン（３６）が、天井に向かって衛生媒体用の供給ライン（２６）から離れる方向で案内されている、請求項７記載の媒体天井。
【請求項９】
支持フレームの異形支持体（１０）の下面に、空間の床に向かって延在している媒体コラム（４０）が取り付けられており、該媒体コラム（４０）が、異形支持体の種々異なる位置において、殊に長手方向溝（２０）と該長手方向溝（２０）内に係合している溝ブロックとを介して移動可能に取り付けられている、請求項８記載の媒体天井。
【請求項１０】
支持フレーム（８）が、柱体状のスペーサ（１６）により空間の天井に固定されている、請求項１から９までのいずれか一項記載の媒体天井。
【請求項１１】
柱体状のスペーサ（１６）が、調節可能な取付け板（１８）により天井（１２）に保持される、請求項１０記載の媒体天井。
【請求項１２】
当該媒体天井が、少なくとも１つの排気通路（４２）を有しており、該排気通路（４２）が、第２の平面（２４）に沿って給気通路（２２ａ，２２ｂ）に対して実質的に平行に延在している、請求項１から１１までのいずれか一項記載の媒体天井。
【請求項１３】
給気通路（２２ａ，２２ｂ）と供給ラインとを備えた複数の支持フレーム（８）が、第１の平面（１４）において並置して配置されており、隣り合う２つの支持フレームの互いに接している異形支持体が、それぞれ前記異形支持体（１０）のほぼ２倍の幅に相当する高さを有している、請求項１から１２までのいずれか一項記載の媒体天井。
【請求項１４】
給気通路（２２ａ，２２ｂ）および／または電気的な供給ライン（２８）および／またはデータラインが、異形支持体（１０）の切欠き（４４）を通って案内されている、請求項１から１３までのいずれか一項記載の媒体天井。
【請求項１５】
殊に請求項１から１４までのいずれか一項記載の媒体天井を組み付けるための方法において、
以下の方法ステップ、つまり、
個々の異形支持体から成る支持フレームを、空間の床の領域において組み付け、新気を供給するための少なくとも１つの給気通路を支持フレームに配置し、衛生媒体を供給するための、互いに平行に且つ給気通路に対して平行に延在している複数のラインを、給気通路の上側の一平面に配置し、給気通路と衛生媒体を供給するためのラインとを備えた支持フレームを、ユニットとして持ち上げ、支持フレームを、空間の天井から予め規定された間隔をおいて固定する、
という方法ステップを特徴とする、媒体天井を組み付けるための方法。
【請求項１６】
支持フレームに、天井に向かって延在している柱体状のスペーサを配置し、該スペーサを、天井の持ち上げ後に、殊にねじにより互いに結合可能な２つの取付け板の形をした調整可能な結合エレメントを介して天井に固定する、請求項１５記載の方法。
【国際調査報告】
2009509070.tif 000007
2009509070.tif 000008
2009509070.tif 000009
2009509070.tif 000010
2009509070.tif 000011
2009509070.tif 000012